(57)【要約】【課題】  吸液構造体が体液を吸収した後も、吸液構造体の身体側およびその反対側のいずれからも体液を吸収することができ、吸液性芯材を有効に活用することができる吸収性物品を提供する。【解決手段】  おむつ１０のクロッチ部材４０は、横方向Ｘに離間した一対の肌当接シート５０と、バックシート６０とを含み、肌当内側縁５３および前後ウエスト第２端縁２５，３５によって、開口４１が形成される。肌当内側縁５３には、複数条のクロッチ弾性部材５５が取り付けられ、縦方向Ｙの長さ寸法が実質的に小さくなる。肌当内側縁５３は、バックシート６０から厚さ方向に離間し、肌当接シート５０とバックシート６０との間に空間４２が形成される。空間４２には、吸液構造体７０が形成されている。吸液構造体７０は、折曲線７６を介して、折り曲げられた折曲部７７を含む。折曲部７７の山側が肌当接シート５０の肌当内側縁５３に接合されている。【選択図】図１
2010233905.tif 000002
【特許請求の範囲】
【請求項１】
縦方向および横方向と、身体側およびその反対側と、前記縦方向に連なる前ウエスト域、後ウエスト域および前記前後ウエスト域間に位置するクロッチ域とを有するシャーシと、少なくとも前記クロッチ域に位置し体液を吸収可能な吸液構造体とを含み、前記吸液構造体は、吸液性芯材と、該吸液性芯材を覆う透液性の被覆シートとを含む吸収性物品において、
前記シャーシは、少なくとも前記クロッチ域を形成するとともに前記身体側に位置し体液が透過可能な液透過領域が形成された肌当接シートと、前記反対側に位置し不透液性のバックシートと、前記肌当接シートおよびバックシートを厚さ方向に離間させ空間を形成する離間手段とを含み、
前記吸液構造体は、前記空間に位置し、前記液透過領域に重なるよう前記肌当接シートに直接的または間接的に接続されるとともに、その一部が前記バックシートに接触可能に形成されることを特徴とする前記吸収性物品。
【請求項２】
前記肌当接シートの前記縦方向の長さ寸法は、前記離間手段によって、前記バックシートの前記縦方向の長さ寸法よりも実質的に小さく形成されることを含む請求項１記載の吸収性物品。
【請求項３】
前記液透過領域は、前記肌当接シートに形成した開口によって形成され、
前記肌当接シートは、前記離間手段によって、前記開口に沿って少なくとも前記縦方向に弾性化されることを含む請求項１または２記載の吸収性物品。
【請求項４】
前記吸液構造体の前記縦方向の長さ寸法は、前記肌当接シートの前記縦方向の長さ寸法よりも実質的に大きく、かつ、前記バックシートの前記縦方向の長さ寸法よりも実質的に小さく形成され、
前記吸液構造体は、前記横方向に延びる吸液前後端縁と、前記縦方向に延びる吸液両側縁とを含み、前記吸液前後端縁において前記肌当接シートに接合される第１接合部と、前記吸液両側縁において前記肌当接シートに対して離間可能な非接合部とが形成される請求項１〜３のいずれかに記載の吸収性物品。
【請求項５】
前記吸液構造体は、前記吸液両側縁において、前記クロッチ域に位置し前記肌当接シートに接合される第２接合部が形成される請求項４記載の吸収性物品。
【請求項６】
前記吸液構造体は、前記横方向に延びる折曲線を介して形成される折曲部と、該折曲部の折曲内面に位置して該折曲内面を互いに接合する吸液接合部とを含む請求項５記載の吸収性物品。
【請求項７】
前記折曲部は、前記バックシートに向かって厚さ方向に延びるとともに、前記クロッチ域に形成される請求項６記載の吸収性物品。
【請求項８】
前記開口には、該開口を前記横方向に連結する連結部材が形成される請求項４〜７のいずれかに記載の吸収性物品。
【請求項９】
前記連結部材は、少なくとも前記クロッチ域に位置する請求項８記載の吸収性物品。
【請求項１０】
前記折曲内面を接合する前記吸液接合部と、前記連結部材とは、前記厚さ方向において重なる位置関係を有する請求項８または９記載の吸収性物品。
【発明の詳細な説明】
【技術分野】
【０００１】
この発明は、吸収性物品に関し、さらに詳しくは使い捨てのおむつ、排泄トレーニングパンツ、失禁ブリーフ等に関する。
【背景技術】
【０００２】
体液を吸収可能な吸収体を有する吸収性物品として、例えば、特開２００２−１７７７９号公報（特許文献１）および特許第３９５４０６０号明細書（特許文献２）が公知である。特許文献１に記載された吸収性物品では、吸収体が液不透過性の裏面シートの身体側に配置されている。裏面シートと吸収体とは、これらの間に空間が形成されるように部分的に接合され、体液が吸収体の裏面シート側からも吸収される。特許文献２に記載された吸収体物品では、シート状の防漏体によって底面部とその両側から身体側に立ち上がる側部とが形成され、これら底面部と側部とによって形成された内部空間に吸収体が配置され、内部空間に排泄された体液が吸収体で吸収される。
【先行技術文献】
【特許文献】
【０００３】
【特許文献１】特開２００２−１７７７９号公報（ＪＰ  ２００２−１７７７９  Ａ）
【特許文献２】特許第３９５４０６０号明細書（ＪＰ  ３９５４０６０  Ｂ２）
【発明の概要】
【発明が解決しようとする課題】
【０００４】
特許文献１および２のいずれの場合にも、吸収体は、身体側とは反対側に位置する裏面側のシートに接合されている。吸収体が体液を吸収すると、その重さで裏面側のシートと吸収体とが密接し、これらの間には体液が流入されなくなる。したがって、一度吸収体に体液が吸収された後は、吸収体の身体側からしか体液を吸収することができない。そのため、反対側の吸収材には体液が吸収されにくく、吸収体を有効に活用することができない。
【０００５】
この発明では、吸液構造体が体液を吸収した後も、吸液構造体の身体側およびその反対側のいずれからも体液を吸収することができ、吸液性芯材を有効に活用することができる吸収性物品を提供することを課題とする。
【課題を解決するための手段】
【０００６】
この発明は、縦方向および横方向と、身体側およびその反対側と、前記縦方向に連なる前ウエスト域、後ウエスト域および前記前後ウエスト域間に位置するクロッチ域とを有するシャーシと、少なくとも前記クロッチ域に位置し体液を吸収可能な吸液構造体とを含み、前記吸液構造体は、吸液性芯材と、該吸液性芯材を覆う透液性の被覆シートとを含む吸収性物品の改良に関わる。
【０００７】
この発明は、前記吸収性物品において、前記シャーシは、少なくとも前記クロッチ域を形成するとともに前記身体側に位置し体液が透過可能な液透過領域が形成された肌当接シートと、前記反対側に位置し不透液性のバックシートと、前記肌当接シートおよびバックシートを厚さ方向に離間させ空間を形成する離間手段とを含み、前記吸液構造体は、前記空間に位置し、前記液透過領域に重なるよう前記肌当接シートに直接的または間接的に接続されるとともに、その一部が前記バックシートに接触可能に形成されることを特徴とする。
【０００８】
この発明は、以下の好ましい実施態様を有する。
前記肌当接シートの前記縦方向の長さ寸法は、前記離間手段によって、前記バックシートの前記縦方向の長さ寸法よりも実質的に小さく形成されることを含む。
前記液透過領域は、前記肌当接シートに形成した開口によって形成され、前記肌当接シートは、前記離間手段によって、前記開口に沿って少なくとも前記縦方向に弾性化されることを含む。
前記吸液構造体の前記縦方向の長さ寸法は、前記肌当接シートの前記縦方向の長さ寸法よりも実質的に大きく、かつ、前記バックシートの前記縦方向の長さ寸法よりも実質的に小さく形成され、前記吸液構造体は、前記横方向に延びる吸液前後端縁と、前記縦方向に延びる吸液両側縁とを含み、前記吸液前後端縁において前記肌当接シートに接合される第１接合部と、前記吸液両側縁において前記肌当接シートに対して離間可能な非接合部とが形成される。
前記吸液構造体は、前記吸液両側縁において、前記クロッチ域に位置し前記肌当接シートに接合される第２接合部が形成される。
前記吸液構造体は、前記横方向に延びる折曲線を介して形成される折曲部と、該折曲部の折曲内面に位置して該折曲内面を互いに接合する吸液接合部とを含む。
前記折曲部は、前記バックシートに向かって厚さ方向に延びるとともに、前記クロッチ域に形成される。
前記開口には、該開口を前記横方向に連結する連結部材が形成される。
前記連結部材は、少なくとも前記クロッチ域に位置する。
前記折曲内面を接合する前記吸液接合部と、前記連結部材とは、前記厚さ方向において重なる位置関係を有する。
【発明の効果】
【０００９】
吸収性物品は、シャーシのクロッチ域を形成する肌当接シートと、バックシートと、これら肌当接シートおよびバックシートを厚さ方向に離間させ空間を形成する離間手段とを含み、この空間に形成された吸液構造体は、その一部でバックシートに接触可能に形成されることとし、吸液構造体はその一部以外の部分では、バックシートとは接触することなく、バックシートとの間に空間が維持される。したがって、吸液構造体に体液が吸収され、吸液構造体が重くなったときでも、空間が失われてしまうことがなく、吸液構造体の肌当接シート側からの体液の吸収のみならず、バックシート側からの体液の吸収も可能となる。吸液構造体の両面からの体液の吸収が可能であるので、吸液構造体の芯材を有効に利用することができ、体液の速やかな吸収が可能となるから、体液の漏れを抑制することもできる。
【図面の簡単な説明】
【００１０】
【図１】実施例１にかかるおむつの着用状態における斜視図。
【図２】図１のＩＩ−ＩＩ線断面図。
【図３】図１の展開平面図。
【図４】実施例２にかかるおむつの着用状態における斜視図。
【図５】図４のＶ−Ｖ線断面図。
【図６】（ａ）〜（ｃ）図５の吸液構造体の説明図。
【図７】実施例３にかかるおむつの図２と同様の図。
【図８】実施例４にかかるおむつの着用状態における斜視図。
【図９】図８のＩＸ−ＩＸ線断面図。
【図１０】図８の部分展開平面図。
【発明を実施するための形態】
【実施例１】
【００１１】
この発明の一実施例を吸収体物品である使い捨ておむつを例に挙げて説明する。
図１〜３は、この発明の実施例１を示す。図１は実施例１にかかるおむつ１０の着用状態の斜視図、図２は図１のＩＩ−ＩＩ線断面図、図３は図１の展開平面図であり、図１および３では、説明のためにその一部を破断している。また、図３では各弾性部材の収縮力が作用しない状態を示している。
【００１２】
おむつ１０は、縦方向Ｙおよび横方向Ｘと、身体側およびその反対側である着衣側と、縦方向Ｙに連なる前ウエスト域１１、後ウエスト域１２、これら前後ウエスト域１１，１２間に位置するクロッチ域１３とを有する。前ウエスト域１１は前ウエスト部材２０で、後ウエスト域１２は後ウエスト部材３０で、クロッチ域１３はクロッチ部材４０でそれぞれ形成されている。各部材２０，３０，４０によって、この発明でいうシャーシが形成されている。
【００１３】
前後ウエスト部材２０，３０は、身体側を形成する内面シート２１，３１と、着衣側を形成する外面シート２２，３２と、これら内外面シート２１，２２および３１，３２の間に介在する前後ウエスト弾性部材２３，３３とを含む。前ウエスト部材２０は、横方向Ｘに延びる前ウエスト第１および第２端縁２４，２５と、縦方向Ｙに延びる前ウエスト両側縁２６とを含む。同様に後ウエスト部材３０は、横方向Ｘに延びる後ウエスト第１および第２端縁３４，３５と、縦方向Ｙに延びる後ウエスト両側縁３６とを含む。前後ウエスト両側縁２６，３６が互いに接合されて、前後ウエスト部材２０，３０で環状のウエスト部材が形成されている。環状に連結された前後ウエスト部材２０，３０の前後ウエスト第１端縁２４，３４には、ウエスト開口が形成されている。
【００１４】
前後ウエスト弾性部材２３，３３は、内外面シート２１，２２および３１，３２の間に伸長状態で収縮可能に取り付けられ、少なくとも内外面シート２１，２２または３１，３２のいずれか一方に接合されている。前後ウエスト弾性部材２３，３３の取り付けによって、前後ウエスト部材２０，３０が横方向Ｘに弾性化されている。前後ウエスト弾性部材２３，３３の縦方向Ｙの離間距離が、前後ウエスト第１端縁２４，３４の近傍では小さく、前後ウエスト第２端縁２５，３５の近傍ではそれよりも大きくされている。前記離間距離を小さくすることによって、おむつ１０の着用者からのずり下がりを防止することができる。一方、前記離間距離を大きくすることによって、ウエスト開口よりも下方域の伸長応力を低くし、前記下方域が着用者の身体を過圧迫することなく、かつ、身体との間に体液の漏れにつながる空間がみだりに生じないようにされている。
【００１５】
クロッチ部材４０は、身体側を形成する肌当接シート５０と、着衣側を形成するバックシート６０とを含み、バックシート６０側が前後ウエスト部材２０，３０の内面シート２１，３１に対向させて接合され、全体としてパンツ形状が形成される。クロッチ部材４０と、前後ウエスト部材２０，３０とは、例えば接着剤等によって形成された接合部（図示せず）を介して接合される。
肌当接シート５０およびバックシート６０は、いずれも不透液性を有し、具体的には、不透液性フィルムと繊維不織布との積層体によって形成されている。肌当接シート５０およびバックシート６０は、着用者に対する肌触りを考慮して、積層体の繊維不織布が着用者側に位置させて積層されていることが好ましい。
【００１６】
バックシート６０は、横方向Ｘに延びるバック前後端縁６１，６２と、縦方向Ｙに延びるバック両側縁６３とを含む。肌当接シート５０は、横方向Ｘに離間した一対の帯片から形成され、横方向Ｘに延びる肌当前後端縁５１，５２と、縦方向Ｙに延びる肌当内外側縁５３，５４とを含む。一対の肌当接シート５０が横方向Ｘに離間しているので、肌当内側縁５３および前後ウエスト第２端縁２５，３５によって、この発明の開口４１が形成されている。開口４１はクロッチ域１３に形成され、この開口４１を介して、尿などの体液が、バックシート６０側に流入する。開口４１は、離間した肌当接シート５０によって形成されるものであってもよいし、連続したシートを刳り抜いて形成されるものであってもよい。また、肌当接シート５０に開口を形成することなく、液透過性のシートを用いることとしてもよい。すなわち、肌当接シート５０において、体液等が吸液構造体７０側に透過可能であればよい。
【００１７】
肌当接シート５０とバックシート６０とは、その縦方向Ｙの長さ寸法を各弾性部材の収縮力が作用しない図３の状態でほぼ等しくされ、肌当外側縁５４とバック両側縁６３とが互いに接合されている。さらに、肌当前後端縁５１，５２と、バック前後端縁６１，６２とがそれぞれ互いに接合されている。肌当内側縁５３には、縦方向Ｙに伸長状態で収縮可能に複数条のクロッチ弾性部材５５が取り付けられている。このようにクロッチ弾性部材５５が取り付けられることによって、肌当接シート５０が縦方向Ｙに弾性化されている。クロッチ弾性部材５５の収縮によって、肌当接シート５０の縦方向Ｙの長さ寸法が実質的に小さくなるようにしている。
【００１８】
上記のように肌当接シート５０の縦方向Ｙの実質的な長さ寸法が、バックシート６０よりも小さくなるので、クロッチ弾性部材５５が取り付けられた肌当内側縁５３は、バックシート６０から厚さ方向に離間し、肌当接シート５０とバックシート６０との間に空間４２が形成される（図１および図２参照）。クロッチ弾性部材５５がこの発明でいう離間手段の一部を形成している。
【００１９】
肌当接シート５０とバックシート６０との間に形成された空間４２には、吸液構造体７０が形成されている。吸液構造体７０は、体液を吸収可能な吸液性芯材７１と、吸液性芯材７１を覆う被覆シート７２とを含む。被覆シート７２は液透過性を有し、吸液性芯材７１全体を覆っている。したがって、吸液構造体７０は、その厚さ方向上面および下面を含むその全域で尿などの体液を吸収することができる。このような吸液構造体７０は、比較的薄いシート状であり、吸液性芯材７１としてフラッフパルプと高吸収性ポリマー粒子との混合物等を用い、被覆シート７２として、例えば、液透過性の不織布を用いることができる。
【００２０】
吸液構造体７０は、横方向Ｘに延びる吸液前後端縁７３，７４と、縦方向Ｙに延びる吸液両側縁７５とを含む。吸液構造体７０の縦方向Ｙの長さ寸法は、図３で示した、各弾性部材の収縮力が作用しない状態においては、肌当接シート５０およびバックシート６０とほぼ等しくされている。吸液構造体７０は、肌当接シート５０とバックシート６０との間に取り付けられ、吸液前後端縁７３，７４は、肌当前後端縁５１，５２およびバック前後端縁６１，６２との間で第１接合部８１ａ，８１ｂを介して接合されている。ただし、吸液前後端縁７３，７４は、少なくとも肌当前後端縁５１，５２に直接的または間接的に接合されていればよい。
【００２１】
吸液構造体７０は、横方向Ｘに延びる折曲線７６を介して、折り曲げられた折曲部７７を含む。折曲線７６は、吸液構造体７０の縦方向Ｙの長さ寸法を二等分する横中心線に沿って形成されている。折曲部７７は、互いに対面する折曲内面７７ａを有し、折曲部７７の山側が肌当接シート５０の肌当内側縁５３に接合され、第２接合部８２が形成されている。吸液構造体７０は、第１および第２接合部８１ａ，８１ｂ，８２以外の他の領域では、肌当接シート５０およびバックシート６０には接合されない非接合部８３が形成され、これらシート５０，６０から離間可能にされている。
【００２２】
吸液構造体７０を折曲線７６で折り曲げることによって、縦方向Ｙの長さ寸法を実質的に小さくすることができ、その実質的な長さ寸法は、肌当接シート５０よりも大きく、かつ、バックシート６０よりも小さくなるようにしている。すなわち、図３の状態から着用状態である図１および図２になると、各弾性部材の収縮力が作用し、吸液構造体７０が空間４２の間で撓むことによって、肌当接シート５０の実質的寸法がバックシート６０よりも小さくなり、これらの間に位置する吸液構造体の実質的寸法は、肌当接シートよりも大きく、かつ、バックシート６０よりも小さくなる。
吸液構造体７０は、開口４１に対して厚さ方向に対向する位置関係を有する。すなわち、吸液構造体７０は、その厚さ方向において、肌当接シート５０によって形成された開口４１の下方に重なるように位置して、互いに対向するように形成されている。ただし、肌当接シート５０と吸液構造体７０とは離間して、空間が形成されている。
【００２３】
上記のような構成のおむつ１０では、図１および２の着用状態において、肌当接シート５０がバックシート６０よりもその縦方向Ｙの長さ寸法が実質的に小さくなり、さらに肌当接シート５０の肌当内側縁５３にクロッチ弾性部材５５が伸長状態で接合されることによって、肌当接シート５０とバックシート６０との間に空間４２が形成されている。空間４２に形成された吸液構造体７０の縦方向Ｙの実質的な長さが、肌当接シート５０よりも大きく、かつバックシート６０よりも小さく、吸液前後端縁７３，７４が肌当前後端縁５１，５２およびバック前後端縁６１，６２の間で接合されているので、吸液構造体７０は空間４２に吊り下げられた状態になる。また、吸液構造体７０は、そのほぼ縦方向Ｙ中央に位置する折曲部７７が第２接合部８２を介して肌当接シート５０に接合しているので、この第２接合部８２を介して非接合部８３がバックシート６０側に垂れ下がる。第２接合部８２を形成することによって、吸液構造体７０がバックシート６０に接触するのを防止することができる。すなわち、吸液構造体７０とバックシート６０との間には、空間が維持される。
【００２４】
おむつ１０に尿などの体液が排泄されると、尿は、肌当接シート５０の間に形成された開口４１から、バックシート６０との間に形成された空間４２に流入する。開口４１の厚さ方向下方には、吸液構造体７０が位置しているので、尿は吸液構造体７０に到達し、その一部は吸液構造体７０の肌当接シート５０側である上面から吸収され、その他は吸液両側縁７５からバックシート６０側へと流れ落ちる。バックシート６０は不透液性であるから、流れ落ちた尿がバックシート６０で形成された空間４２で保持される。保持された尿が多くなり、吸液構造体７０と接触するほどになると、吸液構造体７０のバックシート６０側である下面から尿が吸収される。また、着用者が座ったりして空間４２がつぶれたときにも、尿が吸液構造体７０に到達して吸収される。
【００２５】
上記のように、尿を空間４２で一時的に保持してから、吸液構造体７０で吸収することができるので、例えば、吸収速度の遅い吸液性芯材を用いた場合であっても、確実に尿を吸収・保持することができ、おむつ１０からの尿漏れ等を防止することができる。特に、吸収速度が遅いが、保持力の高い吸液性芯材を使用した場合には、おむつ１０からの尿漏れをより効果的に防止することができる。
【００２６】
吸液構造体７０が、第１接合部８１ａ，８１ｂおよび第２接合部８２によって肌当接シート５０に接合されているので、吸液構造体７０は肌当接シート５０に吊り下げられた状態となり、着用者が座ったりして空間４２がつぶれない限り、バックシート６０との間にその空間４２が維持される。例え、一度座って空間４２がつぶれた場合であっても、再び立ち上がることによってつぶれた空間が再び形成される。
また、吸液構造体７０に尿が吸収されて重くなった場合であっても、吸液構造体７０が肌当接シート５０に吊り下げられた状態が維持されるので、バックシート６０との間の空間４２が維持される。空間４２の形成が維持されることで、空間４２で尿を保持することができ、未だ尿を吸収していない吸液性芯材７１部分で尿を吸収することができる。すなわち、吸液性芯材７１全域を有効に利用することができ、吸液性芯材の低減を図ることができる。バックシート６０は不透液性であるので、着用者が歩いたりして動いた際には、空間４２を尿が移動し、移動した尿が未だ尿を吸収していない吸液性芯材７１に接触することで、これを吸収することもできる。
【００２７】
吸液構造体７０は、肌当接シート５０側およびバックシート６０側の両面から尿を吸収することができるので、吸収速度を向上させることができ、吸液性芯材７１を有効に利用することができる。肌当接シート５０とバックシート６０とを不透液性としているので、これらシートによって形成された空間４２で尿を保持することができ、おむつ１０からの尿漏れを防止することができる。
【００２８】
この実施例では、肌当接シート５０の肌当内側縁５３によって開口４１が形成され、この開口４１によって体液が透過可能な液透過性領域を形成しているが、例えば、肌当接シート５０の少なくとも一部を液透過性の繊維不織布等にすることによっても液透過性領域を形成することができる。肌当接シート５０とバックシート６０が別々のシートによって形成され、これらの側縁が互いに接合されることとしているが、肌当接シート５０とバックシート６０とが連続した同一のシートで形成されるようにしてもよい。
【００２９】
肌当接シート５０において、バックシート６０よりも縦方向Ｙの長さ寸法を実質的に小さくする離間手段としてクロッチ弾性部材５５を用いているが、バックシート６０を延伸加工して、縦方向Ｙに伸長可能とすることによっても実現可能である。また、肌当接シート５０とバックシート６０との間に、これらを離間させるための別シート部材を形成してもよい。
【実施例２】
【００３０】
図４〜６は、この発明の他の実施形態である実施例２を示したものであり、図４は、おむつの着用時における図１と同様の図であり、図５は、図４のＶ−Ｖ線断面図であり、図６は吸液構造体の形成を説明するための図である。
前後ウエスト部材２０，３０およびクロッチ部材４０の構成は、実施例１と同様であるので、実施例１と同じ符号を用いその詳細な説明を省略する。この実施例２では、吸液構造体７０において、折曲線７６を介して折曲部７７が形成され、その折曲内面７７ａで互いに接合されていることを特徴とする。
【００３１】
図４および５に示したように、折曲部７７の折曲内面７７ａには、これらを互いに接合する吸液接合部７８が形成されている。吸液接合部７８は、吸液構造体７０の横方向Ｘのほぼ中央に位置し、その中央部分のみ接合している。
【００３２】
図６に基づいて、吸液構造体７０に吸液接合部７８を形成する方法を説明する。図６（ａ）に示したように、吸液構造体７０には、その一方の面に、例えば、ホットメルト接着剤等の接合手段７８ａが塗布される。接合手段７８ａは、吸液構造体７０の縦方向Ｙの寸法を二等分する横中心線Ｑ−Ｑに沿って形成され、その塗布領域は、縦方向Ｙの長さ寸法が約５０ｍｍ、横方向Ｘの長さ寸法が約７０ｍｍとされている。
次に図６（ｂ）に示したように、吸液構造体７０の一方の面を横中心線Ｑ−Ｑに沿って折り曲げて折曲部７７を形成し、接合手段７８ａを介してこれら対向する面が接合される。図６（ｃ）に示したように、接合手段７８ａを介して吸液構造体７０が接合されることによって、吸液接合部７８が形成される。また、縦中心線Ｑ−Ｑには、折曲線７６が形成され、対向した面が折曲内面７７ａとなる。
【００３３】
このような吸液構造体７０は、折曲線７６が肌当接シート５０に接合され、第２接合部８２が形成されている（図４および５参照）。さらに、吸液前後端縁７３，７４が肌当接シート５０およびバックシート６０の間に接合され、折曲内面７７ａがバックシート６０側に向かって垂れ下がるようにして取り付けられている。垂れ下がった折曲内面７７ａは、肌当接シート５０およびバックシート６０によって形成された空間４２を前後に分割することができる。このように空間４２を分割することによって、その前方では尿を保持し、後方では便を保持することができ、これらを離間して保持することができる。
【００３４】
吸液接合部７８が形成されることによって、折曲内面７７ａが互いに離間するのを防止することができ、これらが接合状態にあることによって、折曲位置での吸液構造体７０の剛性を増強することができる。吸液構造体７０の剛性が増強されることによって、肌当接シート５０とバックシート６０とが接近した場合であっても、折曲内面７７ａがこれらを離間させるための離間手段として機能することができる。
また、折曲内面７７ａが互いに離間することがないので、吸液構造体７０の縦方向Ｙの実質的な長さ寸法の設定が容易になり、肌当接シート５０およびバックシート６０との寸法関係を維持することができる。
【００３５】
この実施例において、吸液接合部７８は、横方向Ｘの中央近傍にのみ形成されることとしているが、横方向Ｘの全域に形成されるようにしてもよい。ここで、記載した吸液接合部７８の寸法は、一例を示したにすぎず、適宜変更可能である。また、接合手段７８ａとして、接着剤を例に説明したが、サーマルまたはウルトラソニックボンドなど、周知の技術を用いることが可能である。
【実施例３】
【００３６】
図７は、この発明の他の実施形態である実施例３を示す。図７は、図２と同様の図であり、実施例１と同様の構成要素については、その説明を省略する。この実施例３では、肌当接シート５０の縦方向Ｙの長さ寸法を実質的に小さくし、バックシート６０との間に空間４２を形成する離間手段として、肌当接シート５０に肌当折曲部５６を形成することを特徴とする。
【００３７】
肌当接シート５０とバックシート６０とは、その縦方向Ｙの長さ寸法が、肌当接合部５９を解き、各弾性部材の伸縮力を作用させない状態では、ほぼ同じにされている。肌当接シート５０は、クロッチ域１３において、肌当折曲部５６が形成され、縦方向Ｙの長さ寸法が実質的に小さくされている。すなわち、肌当接シート５０は、横方向Ｘに延びる肌当折曲線５７を介して、折り畳まれ、折り畳まれた肌当折曲内面５８を互いに対向させている。肌当折曲内面５８は、肌当接シート５０の身体側に位置し、肌当折曲線５７から身体側に向かってその上方に延びている。肌当折曲内面５８には、これらを互いに接合する肌当接合部５９が形成される。
【００３８】
吸液構造体７０に形成された折曲部７７であってその身体側は、肌当接シート５０の肌当折曲線５７に、第２接合部８２を介して接合されている。このように、吸液構造体７０を肌当接シート５０に接合することができるので、吸液構造体７０が肌当接シート５０に対して吊り下げられた状態を維持することができ、空間４２を保持することができる。
【００３９】
この実施例では、肌当接シート５０は、肌当折曲部５６を形成することによって、縦方向Ｙの長さ寸法が小さくされているので、離間手段として別途クロッチ弾性部材等を取り付ける必要がない。したがって、部品点数を減少させることができる。
肌当折曲内面５８を肌当接合部５９によって互いに接合しているので、肌当接シート５０の縦方向Ｙの長さ寸法を実質的に小さくしたまま維持することができ、形成された空間４２を保持することができる。
【実施例４】
【００４０】
図８〜１０は、この発明の他の実施形態である実施例４を示す。図８はおむつ１０の着用状態を示した図１と同様の図であり、図９は、図８のＩＸ−ＩＸ線断面図、図１０は、図３と同様の図であって前後ウエスト部材２０，３０を省略したものである。この実施例において、前後ウエスト部材２０，３０は、実施例１と同様であるので、その詳細な説明を省略し、ここではクロッチ部材４０について説明する。この実施例３では、離間した帯片で形成された一対の肌当接シート５０を互いに連結する、連結部材９０が形成されることを特徴とする。
【００４１】
肌当接シート５０では、肌当内側縁５３の横方向Ｘの間に開口４１が形成されるが、連結部材９０はこの開口４１を横方向Ｘに連結している。具体的には連結部材９０は、縦方向Ｙに延びる両側縁９１が、肌当接シート５０の着衣側すなわちバックシート６０側であって、肌当内側縁５３に連結接合部９２を介して接合されている。このように連結部材９０で離間する肌当接シート５０を互いに連結することができるので、肌当接シート５０が互いに横方向Ｘに離間して、開口４１の形状が崩れてしまうのを防止することができる。また、肌当接シート５０が横方向Ｘに離間すると、クロッチ弾性部材５５によって維持されていた、肌当接シート５０とバックシート６０との離間距離が短くなり、これらシート５０，６０によって形成される空間４２が小さくなる可能性がある。しかし、連結部材９０を形成することによって、空間４２の大きさおよび形状を維持することができる。空間４２が維持されるので、吸液構造体７０がその空間４２で吊り下げられた状態を維持することができ、これがバックシート６０側に落ち込んで接触するのを抑制することができる。
【００４２】
このように連結部材９０を形成した場合には、連結部材９０に吸液構造体７０の折曲線７６を接合し、第２接合部８２を形成することができる。折曲線７６を連結部材９０に接合する場合には、折曲線７６の横方向Ｘ全域に第２接合部８２を形成することができ、その接合面性を大きくすることができる。すなわち、連結部材９０がない場合には、第２接合部８２は、離間した肌当接シート５０に対して形成されるので、折曲線７６の横方向Ｘの両端のみに第２接合部８２が形成されることとなるが、連結部材９０を形成することによって、その全域で形成することができる。第２接合部８２を折曲線７６の横方向Ｘ全域で形成することができるので、吸液構造体７０がクロッチ域１３において確実に肌当接シート５０側に持ち上げることができ、バックシート６０との間で空間を維持することができる。
【００４３】
折曲線７６と連結部材９０とを接合するためには、これらが厚さ方向において対向する位置関係を有することが必要である。
また、連結部材９０には、横方向Ｘに延びる弾性部材を別途取り付けてもよい。弾性部材は、伸長状態で収縮可能に取り付けられ、その収縮力によって、より一層、肌当接シート５０およびバックシート６０によって形成される空間を維持することが可能となる。
【００４４】
連結部材９０としては、例えば、液透過性の繊維不織布、液不透過性のフィルムシート等を使用することができる。連結部材９０は、肌当接シート５０の身体側に接合してもよい。ただし、着用者への刺激の軽減を考慮すれば、着衣側に位置させることが好ましい。
【符号の説明】
【００４５】
１０  おむつ（吸収性物品）
１１  前ウエスト域
１２  後ウエスト域
１３  クロッチ域
４１  開口
４２  空間
５０  肌当接シート
５５  クロッチ弾性部材
６０  バックシート
７０  吸液構造体
７１  吸液性芯材
７３  吸液前端縁
７４  吸液後端縁
７５  吸液側縁
７６  折曲線
７７ａ  折曲内面
７８  吸液接合部
８１ａ  第１接合部
８２  第２接合部
８３  非接合部
９０  連結部材
【図１】
2010233905.tif 000003
【図２】
2010233905.tif 000004
【図３】
2010233905.tif 000005
【図４】
2010233905.tif 000006
【図５】
2010233905.tif 000007
【図６】
2010233905.tif 000008
【図７】
2010233905.tif 000009
【図８】
2010233905.tif 000010
【図９】
2010233905.tif 000011
【図１０】
2010233905.tif 000012